(57)【特許請求の範囲】
【請求項１】
パンツ型吸収性物品であって、
パンツの態様に形成された外装体と、
前記外装体の肌当接面側に位置し、体液を吸収する内装体と、
を備え、
前記外装体が、
腹側部と、
背側部と、
前記腹側部と前記背側部の間を繋ぐように設けられた股下部と、
前記股下部とは反対側の前記腹側部の前端部に設けられた前ウエストギャザ部と、
前記股下部とは反対側の前記背側部の後端部に設けられた後ウエストギャザ部と、を有し、
前記内装体が、
肌に当接するトップシートと、
前記外装体に当接するバックシートと、
前記トップシートと前記バックシートの間に積層して設けられた吸収体と、を有し、
前記腹側部及び前記背側部が、第１の不織布、伸縮性フィルム及び第２の不織布を肌当接面側からこの順に一体化して積層して構成される複合シートから形成され、
前記腹側部、前記股下部及び前記背側部が、展開視において、前記前ウエストギャザ部及び前記後ウエストギャザ部が伸長されないときにおける前記腹側部又は前記背側部の短手方向の最大幅の１．８倍から１．９倍の、前記前端部から前記後端部までの長手方向の長さを有し、
前記前ウエストギャザ部及び後ウエストギャザ部が、伸長されたとき、前記前ウエストギャザ部及び前記後ウエストギャザ部によって形成された腰回りの開口において、前記前ウエストギャザ部及び前記後ウエストギャザ部が伸長されないときにおける前記腹側部又は前記背側部の短手方向の最大幅の４．０倍から４．２倍の最大周長を有し、
前記内装体が、展開視において、短手方向の内側に向かって湾曲した股下領域を有し、前記股下領域がその外側に股下足回りに沿う弾性部材を含むギャザ部を有し、
前記内装体の前記股下領域の最狭部における前記吸収体の幅方向の端部と、前記弾性部材とが、２５ｍｍから３５ｍｍの間隔であることを特徴とするパンツ型吸収性物品。
【請求項２】
前記ギャザ部が、その内部に１本当たり６４０デシテックスから１２４０デシテックスの太さであって、２２０％から２８０％の伸長率を有する複数の弾性部材を含むことを特徴とする請求項１に記載のパンツ型吸収性物品。
【請求項３】
前記ギャザ部が、前記弾性部材の収縮により身体側に立ち上がることを特徴とする請求項１又は２に記載のパンツ型吸収性物品。
【請求項４】
前記バックシートが、防漏性、かつ、通気性を有することを特徴とする請求項１から３のいずれかに記載のパンツ型吸収性物品。
【発明の詳細な説明】
【技術分野】
【０００１】
本発明は、パンツ型吸収性物品に関する。
【背景技術】
【０００２】
トップシートと、バックシートと、トップシートとバックシートの間に吸収体とを備える内装体と、この内装体の非肌当接面側に位置する外装体とを備えたパンツ型吸収性物品が知られている。このパンツ型吸収性物品は、使用者の腹回りの部位や脚周りの部位等にフィットしやすいように、ギャザが付設されることが多い。ギャザは、例えば、図５に示すように、弾性部材の糸ゴムを、伸長状態でパンツ型吸収性物品を構成する不織布間に接着することができ、また、不織布間に糸ゴムを接着した部材を準備し、パンツ型吸収性物品に接着させることにより、形成することができる。これにより、パンツ型吸収性物品の伸縮性能が向上し、着用時のフィット感を高め、さらには、尿や血液等の体液が外部に漏れ出ることも防止することになる。
【０００３】
パンツ型吸収性物品として、例えば、特許文献１には、ウエスト開口部及び一対の該レッグ開口部それぞれの周縁部に、各周縁部の略全周にわたって連続したギャザを形成する弾性部材を備え、ウエスト開口部の周縁部及びレッグ開口部の周縁部における、腹側部の側縁部と背側部の側縁部との溶着接合部は、溶着接合部の長さ１ｃｍ以上が、溶着接合部の幅方向における略中央部に非溶着部を有する間歇接合部とし、良好な装着感や風合いを保持しながら良好なフィット性を目指したものが開示されている。
【０００４】
しかしながら、これらのギャザの存在は、紙おむつ等のパンツ型吸収性物品らしい外観を特徴付け、布等で構成される下着との外観の差異が生じていた。すなわち、ギャザを施している部分、特に、腹回りの部位やおしり回りの部位に透けて見える糸ゴムと、その周辺に発生する多数の大きいシワは、通常の下着の外観と大きく異なる点となり、パンツ型吸収性物品の使用を第三者に知られたくない使用者にとって、この相違は望ましいものではなく、より下着に近いパンツ型吸収性物品が期待されていた。
【０００５】
更に、パンツ型吸収性物品においては、女性は、ぴったりとフィットする履き心地を好み、男性はルーズなフィット感を好む傾向がある。しかしながら、吸収体を身体に密着させない場合、著しく漏れのリスクが高まることとなる。
【先行技術文献】
【特許文献】
【０００６】
【特許文献１】特開平１０−１３７２８７号公報
【発明の概要】
【発明が解決しようとする課題】
【０００７】
従って、本発明の目的は、このような課題に鑑みてなされたものであり、その目的は、着用時にルーズなフィット感及び漏れを防止することにより、より下着に近い外観のパンツ型吸収性物品を提供することにある。
【課題を解決するための手段】
【０００８】
本発明のパンツ型吸収性物品は、パンツの態様に形成された外装体と、前記外装体の肌当接面側に位置し、体液を吸収する内装体と、を備え、前記外装体が、腹側部と、背側部と、前記腹側部と前記背側部の間を繋ぐように設けられた股下部と、前記股下部とは反対側の前記腹側部の前端部に設けられた前ウエストギャザ部と、前記股下部とは反対側の前記背側部の後端部に設けられた後ウエストギャザ部と、を有し、前記内装体が、肌に当接するトップシートと、前記外装体に当接するバックシートと、前記トップシートと前記バックシートの間に積層して設けられた吸収体と、を有し、前記腹側部及び前記背側部が、第１の不織布、伸縮性フィルム及び第２の不織布を肌当接面側からこの順に一体化して積層して構成される複合シートから形成され、前記腹側部、前記股下部及び前記背側部が、展開視において、前記前ウエストギャザ部及び前記後ウエストギャザ部が伸長されないときにおける前記腹側部又は前記背側部の短手方向の最大幅の１．７ないし２．１倍の、前記前端部から前記後端部までの長手方向の長さを有することを特徴とする。
【０００９】
（２）本発明のパンツ型吸収性物品は、（１）に記載のパンツ型吸収性物品であって、前記前ウエストギャザ部及び前記後ウエストギャザ部が、伸長されたとき、前記前ウエストギャザ部及び前記後ウエストギャザ部によって形成された腰回りの開口において、前記前ウエストギャザ部及び前記後ウエストギャザ部が伸長されないときにおける前記腹側部又は前記背側部の短手方向の最大幅の３．８ないし４．３倍の最大周長を有してもよい。
【００１０】
（３）本発明のパンツ型吸収性物品は、（１）又は（２）に記載のパンツ型吸収性物品であって、前記腹側部、前記股下部及び前記背側部が、展開視において、前記前ウエストギャザ部及び前記後ウエストギャザ部が伸長されないときにおける前記腹側部又は前記背側部の短手方向の最大幅の１．８ないし１．９倍の、前記前端部から前記後端部までの長手方向の長さを有してもよい。
【００１１】
（４）本発明のパンツ型吸収性物品は、（１）に記載のパンツ型吸収性物品であって、前記内装体が、展開視において、短手方向の内側に向かって湾曲した股下領域を有し、前記股下領域がその外側に股下足回りに沿う弾性部材を含むギャザ部を有してもよい。
【００１２】
（５）本発明のパンツ型吸収性物品は、（４）に記載のパンツ型吸収性物品であって、前記ギャザ部が、その内部に１本当たり６４０〜１２４０デシテックスの太さであって、１５０〜２８０％の伸長率を有する複数の弾性部材を含んでもよい。
【００１３】
（６）本発明のパンツ型吸収性物品は、（４）又は（５）に記載のパンツ型吸収性物品であって、前記内装体の前記股下領域の最狭部における前記吸収体の幅方向の端部と、前記弾性部材とが、２５〜４０ｍｍの間隔であってもよい。
【００１４】
（７）本発明のパンツ型吸収性物品は、（４）ないし（６）のいずれか１つに記載のパンツ型吸収性物品であって、前記ギャザ部が、前記弾性部材の収縮により身体側に立ち上がってもよい。
【００１５】
（８）本発明のパンツ型吸収性物品は、（１）ないし（７）のいずれか１つに記載のパンツ型吸収性物品であって、前記バックシートが、防漏性、かつ、通気性を有してもよい。
【発明の効果】
【００１６】
本発明の目的は、このような課題に鑑みてなされたものであり、その目的は、着用時にルーズなフィット感及び漏れを防止することにより、より下着に近い外観のパンツ型吸収性物品を提供することにある。
【図面の簡単な説明】
【００１７】
【図１】本発明の実施形態に係るパンツ型吸収性物品を示す概略図である。
【図２】図１のＸ−Ｘ’線における断面図である。
【図３】本発明の実施形態に係るパンツ型吸収性物品の展開図である。
【図４】図３のＹ−Ｙ’線における断面図である。
【図５】従来のパンツ型吸収性物品を示す概略図である。
【発明を実施するための形態】
【００１８】
図１ないし図４を参照して、本発明の実施形態に係るパンツ型吸収性物品およびその製造方法について詳細に説明する。なお、実施形態の説明は、全体を通して同じ要素には同じ番号を付している。本明細書の説明において、パンツ型吸収性物品１の長手方向は、パンツ型吸収性物品１が着用されたときに着用者の前後にわたる方向であり、パンツ型吸収性物品１の短手方向は、長手方向に対して横又は直交する方向を意味する。また、本明細書の説明において、体液とは、尿、血液や軟便中の水分などの体内から体外に排出された液体をいう。さらに、パンツ型吸収性物品１の着用時とは、パンツ型吸収性物品１の装着時および装着後の少なくとも一方をいう。また、パンツ型吸収性物品１として、例えば紙おむつを例として説明するが、生理用パンツ、失禁用使い捨ておむつ等の他のパンツ型吸収性物品であってもよい。
【００１９】
図１は、本発明の実施形態に係るパンツ型吸収性物品を示す概略図であり、図２は、Ｘ−Ｘ’線における断面図であり、図３は、本発明の実施形態に係るパンツ型吸収性物品の展開図であり、図４は、図３のＹ−Ｙ’線における断面図である。本発明におけるパンツ型吸収性物品１の一実施形態について、図１ないし図４にて説明する。図１ないし図４に示すように、パンツ型吸収性物品１は、腹側部１１と、背側部１２と、腹側部１１と背側部１２の間に設けられる股下部１３と、を有する外装体１０と、トップシート２１と、バックシート２２と、トップシート２１とバックシート２２の間に設けられる吸収体２３とを有し、外装体１０の肌当接面側に位置する内装体２０と、を備えている。
【００２０】
（外装体）
パンツ型吸収性物品１は、内装体２０の非肌当接面側に位置し、着用者の腹側（図３ではＡ側）に位置する腹側部１１、背側（図３ではＢ側）に位置する背側部１２及びその間を繋ぐように設けられた股下部１３に区分されるパンツの態様に形成された外装体１０を備えている。
【００２１】
外装体１０は、腹側部１１の側縁部３１と背側部１２の側縁部３２とが接合することによって胴周り部１９が形成され、胴周り部１９には、ウエストギャザ部４０（以降、ウエストギャザと呼ぶ）が設けられる。ウエストギャザ４０は、股下部１３とは反対側の腹側部１１の前端部に設けられた前ウエストギャザ部４０ａと、股下部１３とは反対側の背側部１２の後端部に設けられた後ウエストギャザ部４０ｂとを有する。ウエストギャザ４０は、弾性伸縮部材１７が設けられている。弾性伸縮部材１７は、例えば糸ゴムと不織布等のシートによって形成される。なお、胴周り部１９は、腹側部１１と背側部１２の側縁部（３１、３２）とが互いに接着されていても、一体成形となっていてもよい。
【００２２】
また、腹側部１１、股下部１３及び背側部１２が、展開視において、前及び後ウエストギャザ部（４０ａ、４０ｂ）が伸長されないときにおける腹側部１１又は背側部１２の短手方向の最大幅ｔ１（図３参照）の１．７ないし２．１倍の、前端部から後端部までの長手方向の長さｔ２を有することが好ましい。さらに好ましくは、１．８ないし１．９倍である。また、前及び後ウエストギャザ部（４０ａ、４０ｂ）が、伸長されたとき、前及び後ウエストギャザ部（４０ａ、４０ｂ）によって形成された腰回りの開口において、前及び後ウエストギャザ部（４０ａ、４０ｂ）が伸長されないときにおける腹側部１１又は背側部１２の短手方向ｔ１の最大幅の３．８ないし４．３倍の最大周長を有する。さらに好ましくは、４．０ないし４．２倍である。上記範囲内にすることで、良好なフィット性が得られ、着用時にウエスト周りが締め付けすぎず、動きやすく、かつ、ずれ落ち難いパンツ型吸収性物品が提供できる。なお、ここで示す周長とは、図１に示す胴周り部１９の周の長さαである。
【００２３】
腹側部１１及び背側部１２は、第１の不織布１４、伸縮性フィルム１５及び第２の不織布１４を肌当接面側からこの順に熱融着又は超音波接着で一体化して積層して構成される複合シートから形成される。股下部１３は、腹側部１１及び背側部１２と同様の複合シートで構成してもよく、上述した不織布１４と同様の素材を用いて、その加工方法も同様の方法によるものを使用することもできる。
【００２４】
本実施形態の複合シートを構成する不織布１４は、上述した不織布と同様の素材を用いて、その加工方法も同様の方法によるものを使用することができる。また、伸縮性フィルム１５は、伸縮性を備えたものであればよく、例えば、ポリエステル系エラストマー、ポリオレフィン系エラストマー、ポリウレタン系樹脂、ポリアミド系樹脂等から形成されたフィルムがあげられる。なかでも、コスト及び伸縮性能の観点から、ポリウレタン系樹脂フィルムが好ましい。
【００２５】
複合シートは、非伸縮状態において、２０ｃｍ３／ｃｍ２・秒以上のＪＩＳ  Ｌ  １０９６−Ａ（フラジール法）：１９９０に基づいて測定される通気度を有する。通気度が２０ｃｍ３／ｃｍ２・秒未満であると、着用時に蒸れ易くなる。通気度は、複合シートを構成する不織布の繊維や糸の太さ、密度、単位面積当たりの重さや、伸縮性シートに備えた開口部の開口面積率等により、自由に変えることができる。
【００２６】
また、複合シートは、伸縮方向に１５０％伸長したときに、５０ｃｍ３／ｃｍ２・秒以上のＪＩＳ  Ｌ  １０９６−Ａ（フラジール法）：１９９０に基づいて測定される通気度を有する。ここで、伸縮方向に１５０％伸長したとは、非伸縮状態の自然長に対する、伸長した状態の長さの割合である。すなわち、非伸縮状態の自然長１０ｃｍの複合シートを伸長方向に対して１５ｃｍ伸長させた場合、１５／１０×１００＝１５０％伸長したとなる。通気度が５０ｃｍ３／ｃｍ２・秒未満であると、伸長された状態で使用する部位、例えば、おしり周りの部位に対して、着用時に蒸れ易くなる。
【００２７】
（内装体）
本実施形態の内装体２０は、外装体１０の肌当接面側に位置し、肌に当接する液透過性のトップシート２１と、外装体１０に当接する液不透過性のバックシート２２と、トップシート２１とバックシート２２との間に積層して設けられた吸収体２３と、立体ギャザ２４とを含む体液を吸収する内装体２０とを備えている。これにより、吸収体２３は、トップシート２１とバックシート２２の間に挟まれた構造となっている。内装体２０は、外装体１０の腹側部から背側部の内側にかけて配置されており、外装体１０の股下部１３で外装体１０と固着される。固着方法として、例えば、ホットメルト等の接着剤、熱融着、あるいは超音波接着等により、外装体１０と接着している。
【００２８】
本実施形態のトップシート２１の基材は、体液が吸収体２３へと移動するような液透過性を備えていればよく、例えば、サーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１は、液透過性を向上させるために、表面にエンボス加工や穿孔加工を施すことが好ましい。その加工方法は、公知の方法を制限なく行うことができる。また、肌への刺激を低減させるために、トップシート２１に、ローション、酸化防止剤、抗炎症成分、ｐＨ調整剤、抗菌剤、保湿剤等を含有させることも好ましい。さらに、強度および加工性の点から、トップシート２１の坪量は、１４ｇ／ｍ２以上４０ｇ／ｍ２以下であることが好ましい。トップシート２１の形状としては、特に制限はないが、尿等の液体を吸収体２３に誘導するため、吸収体２３を覆う形状であればよい。
【００２９】
なお、トップシート２１の肌当接面側には、体液の漏れを防止する立体ギャザ２４を長手方向両側縁部、すなわち、長手方向前方部Ａから長手方向後方部Ｂにかけて設けることが好ましい。立体ギャザ２４の幅方向外側の部分は、バックシート２２に固定され、幅方向内側の部分は、トップシート２１に固定されず、長手方向に沿って糸ゴム等の立体ギャザ用弾性部材２４ａと不織布等のシート２４ｂによって形成されることで、起立性を有し、使用者の体型に合わせて伸縮自在に変形可能になっている。
【００３０】
また、内装体２０は、展開視において、短手方向の内側に向かって湾曲した股下領域を有し、股下領域がその外側に股下足回りに沿う弾性部材２５ａを含む体液の漏れを防止する左右一対のギャザ部２５（以降、レッグギャザ２５と呼ぶ）を有する。レッグギャザ２５は、弾性部材２５ａ、例えば、糸ゴムと不織布等のシート２５ｂによって形成される。なお、内装体２０の股下領域の最狭部における吸収体２３の幅方向の端部と、レッグギャザ２５（弾性部材）とが、２５〜４０ｍｍの間隔であることが好ましい。また、レッグギャザ２５の弾性部材２５ａは、１本当たり６４０〜１２４０デシテックスの太さであって、１５０〜２８０％の伸長率を有することが好ましい。上記構成と上記範囲内に形成することで、伸縮方向（着用した際の左右方向）のみならず、伸縮方向と交差する方向（着用した際の上下方向）にも伸縮可能となり、レッグギャザ２５が、レッグギャザ２５の弾性部材２５ａの収縮により身体側に立ち上がり、股下周りの部位における防漏性が向上する。
【００３１】
本実施形態のバックシート２２は、防漏性、かつ、通気性を有する。本実施形態のバックシート２２の基材は、吸収体２３が保持している体液が漏れないような液不透過性を備えたものであればよく、不織布、樹脂フィルム、あるいはこれらを積層した複合シートといった材料から形成される。不織布は、製法が特に限定されることはなく、例えば、スパンボンドやメルトブロー不織布、あるいは、スパンボンド／メルトブロー、スパンボンド／メルトブロー／スパンボンドを積層した複合不織布、及びこれらの複合材料が考えられる。また、樹脂フィルムとして、例えば、ポリエステル、ポリビニルアルコール、ポリエチレン、ポリプロピレン、ポリエチレンとポリプロピレンの複合フィルム等がある。また、装着時の蒸れを防止するために、バックシート２２は、透湿性を持たせることが好ましい。透湿性を備えさせるために、例えば、基材の樹脂フィルムにフィラーを配合することや、バックシート２２に穿孔のためのエンボス加工を施すことがあげられる。
【００３２】
本実施形態の吸収体２３の基材は、一般に生理用ナプキンやおむつ、尿パッド等の吸収性物品に使用されるものであれば特に制限はなく、例えば、フラッフパルプ、高吸水性樹脂（Ｓｕｐｅｒ  Ａｂｓｏｒｂｅｎｔ  Ｐｏｌｙｍｅｒ；以下、「ＳＡＰ」と記す。）、親水性シートといった材料から形成される。フラッフパルプとして、例えば、木材パルプ及び合成繊維、ポリマー繊維等の非木材パルプを綿状に解繊したものがある。また、高吸水性樹脂としては、例えば、ポリアクリル酸ナトリウム、親水性シートとしては、ティシュ、吸収紙、親水性不織布があげられる。
【００３３】
吸収体２３は、上記の基材を用いて、単層あるいは複層のシート状で構成される。これらの中でも、木材パルプフラッフのような、フラッフパルプのウェブの親水性繊維マトリックスをＳＡＰ粒子と混合して形成したものが好ましい。また、ＳＡＰ粒子の漏洩防止や吸収体２３の形状を安定させるために、吸収体２３をティシュのような親水性シート（図示せず）に包むことが好ましい。さらに、吸収体２３の表面にエンボス加工を施すと、体液の拡散をコントロールすると共に、使用者の体型に応じて吸収体２３が容易に変形するので好ましい。
【実施例】
【００３４】
以下に実施例により本発明を更に詳細に説明する。但し、本発明は以下の実施例により何ら制限されるものではない。
【００３５】
（実施例１、参考例２及び３、比較例１〜３）
パンツ型吸収性物品として、使い捨ておむつを用いた。トップシートとして３０ｇ／ｍ２のエアスルー不織布、バックシートとして３２ｇ／ｍ２の通気性ポリエチレンフィルムを使用し、トップシートとバックシートの間に、フラッフパルプ１２ｇ、ポリアクリル酸系樹脂からなる吸水性ポリマー１１ｇの混合物からなる吸収体を配置して内装体とした。内装体の短辺側両側に長手方向に延びるウレタン系糸ゴムを伸長したものをそれぞれ３本ずつ配置し、レッグギャザとした。２層の２０ｇ／ｍ２ポリプロピレンスパンボンド不織布の間に開口率１４％で開口を設けた厚み２０μｍのウレタンフィルムを２５０％伸長状態で積層し、伸縮方向と直行する方向に線状に延びるパターンで全領域にわたって超音波接着することで伸縮性及び通気性を持ち、表面粗さが異なる積層体（複合シート）を形成して外装体とした。外装体の腰回り端部に１７ｇ／ｍ２ポリプロピレンスパンボンドに１２４０デシテックスのウレタン系糸ゴムを２００％伸長したもの６本を配した複合体を配置し、ウエストギャザとした。
【００３６】
（官能評価）
成人男性３０名のパネラーに対して、パンツ型吸収性物品のフィット感及びモレ性について官能評価を実施した。この評価では、実施例１、参考例２及び３、並びに比較例１〜３のパンツ型吸収性物品について、（ｉ）フィット感Ａ（着用時に締め付けすぎず、動きやすいか否か）、（ｉｉ）フィット感Ｂ（着用時に緩すぎず、安心感があるか否か）、（ｉｉｉ）モレ易いか否か、の３項目について、（ａ）良い、（ｂ）あまり良くない、（ｃ）悪い、のいずれかの評価を選択する官能試験を行った。（ａ）の評価が２６〜３０人のときを「○」、（ａ）の評価が２１〜２５人のときを「△」、（ａ）の評価が０〜２０人のときを「×」とした。その結果を表１に示す。なお、表１に記載の比率Ａとは、非伸長状態での製品最大幅に対するウエストギャザ部を除く製品長であり、比率Ｂとは、非伸長状態での製品最大幅に対する製品状態として伸長可能な最大周長である。また、距離とは、股下最狭部における、吸収体幅方向端部と、最内側糸ゴムの間隔のことである。
【００３７】
【表１】
0006410020.tif 000002
【００３８】
この結果、表１に示すように、本実施例に係るパンツ型吸収性物品１に関して、ウエストギャザを除く非伸長状態での最大幅に対して、１．７〜２．１倍の製品長を有し、かつ、ウエストギャザが、非伸長状態での最大幅に対して、製品状態として３．８〜４．３倍の伸長可能な最大周長を有するものが好適であり、良好なフィット性を持つことが分かった。また、ウエストギャザが、その内部に１本当たり６４０〜１２４０デシテックスの太さであって、１５０〜２８０％の伸長率を有し、かつ、内装体の股下周りの最狭部における吸収体の幅方向の端部と、弾性部材とが、２５〜４０ｍｍの間隔であるものが好適であり、尿モレ等が発生しないことが分かった。
【００３９】
以上、実施形態を用いて本発明を説明したが、本発明の技術的範囲は上記実施形態および実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００４０】
１      パンツ型吸収性物品
１０    外装体
１１    腹側部
１２    背側部
１３    股下部
１４    不織布
１５    伸縮性フィルム
１６    上縁部
１７    弾性伸縮部材
１９    胴周り部
２０    内装体
２１    トップシート
２２    バックシート
２３    吸収体
２４    立体ギャザ
２５    レッグギャザ
３１    側縁部（腹側部側）
３２    側縁部（背側部側）
４０    ウエストギャザ
４０ａ  前ウエストギャザ部
４０ｂ  後ウエストギャザ部
【図１】
0006410020.tif 000003
【図２】
0006410020.tif 000004
【図３】
0006410020.tif 000005
【図４】
0006410020.tif 000006
【図５】
0006410020.tif 000007